(57)【要約】【課題】フォークリフト爪による脚部の損傷を確実に防止することができる保護部材を提供する。【解決手段】保護部材６は、熱源機の脚部に形成された運搬用の開口部をフォークリフト爪から保護する保護部材６であって、ダンボール材により組立可能に形成され、組立完了状態でフォークリフト爪が挿入可能に開口部に固定される組立構造に構成されている。【選択図】図２
2010065979.tif 000002
【特許請求の範囲】
【請求項１】
熱源機の脚部に形成された運搬用の開口部をフォークリフト爪から保護する保護部材であって、ダンボール材により組立可能に形成され、組立完了状態で前記フォークリフト爪が挿入可能に前記開口部に固定される組立構造に構成されていることを特徴とする保護部材。
【請求項２】
前記フォークリフト爪が挿入される挿入口と、
前記挿入口から四方に拡がるように形成され、前記挿入口に前記フォークリフト爪を案内する案内片と、
を有することを特徴とする請求項１記載の保護部材。
【請求項３】
前記案内片は、前記挿入口に向かって上片、下片、左片及び右片により構成されており、前記上片、前記下片、前記左片及び前記右片が互いに支え合うことにより組み立てられていることを特徴とする請求項２記載の保護部材。
【請求項４】
運搬用の開口部が形成された脚部を有する筐体と、
前記開口部に取り付けられた請求項１ないし３のいずれか一に記載の保護部材と、
を備えることを特徴とする熱源機。
【発明の詳細な説明】
【技術分野】
【０００１】
本発明は、保護部材及び熱源機に関し、特に、空気調和装置の室外機として用いられる熱源機の保護部材及びその保護部材を備える熱源機に関する。
【背景技術】
【０００２】
空気調和装置の室外機として用いられる熱源機としては、例えば、ビルなどの中規模建築物を対象とする中型の空気調和装置の室外機が開発されている。この室外機の筐体には、室外機を床面に固定するための固定脚などの脚部が設けられている。この脚部には、フォークリフト爪（フォークリフトのフォーク爪）が挿入される運搬用の開口部が複数形成されている（例えば、特許文献１参照）。
【０００３】
前述の開口部には、通常、その端面をフォークリフト爪から保護する保護カバーが取り付けられる。この保護カバーには、開口部に取り付けるための固定爪が複数設けられている。これらの固定爪は互いに開口部に引っ掛かることで保護カバーを開口部に固定する構造になっている。
【特許文献１】特開平８−７５１９２号公報
【発明の開示】
【発明が解決しようとする課題】
【０００４】
しかしながら、前述の保護カバーでは、取付用の固定爪の強度は構造的に弱く、荷扱いの衝撃で破損及び外れが生じるため、固定脚などの脚部の開口部を保護することができなくなり、脚部はフォークリスト爪によって傷付けられることになってしまう。
【０００５】
本発明はこのような課題を解決するためになされたものであり、その目的は、フォークリフト爪による脚部の損傷を確実に防止することができる保護部材及び熱源機を提供することである。
【課題を解決するための手段】
【０００６】
本発明の実施の形態に係る第１の特徴は、保護部材において、熱源機の脚部に形成された運搬用の開口部をフォークリフト爪から保護する保護部材であって、ダンボール材により組立可能に形成され、組立完了状態でフォークリフト爪が挿入可能に開口部に固定される組立構造に構成されていることである。
【０００７】
本発明の実施の形態に係る第２の特徴は、熱源機において、運搬用の開口部が形成された脚部を有する筐体と、開口部に取り付けられた前述の第１の特徴に係る保護部材とを備えることである。
【発明の効果】
【０００８】
本発明によれば、フォークリフト爪による脚部の損傷を確実に防止することができる。
【発明を実施するための最良の形態】
【０００９】
本発明の実施の一形態について図面を参照して説明する。
【００１０】
図１に示すように、本発明の実施の形態に係る熱源機（室外機１）は、筐体２と、その筐体２の上部に設けられた送風機３と、筐体２の内部に設けられた熱交換器４と、筐体２の下部に設けられた一対の脚部５とを備えている。なお、筐体２の内部には、圧縮機や制御装置なども設けられている。
【００１１】
筐体２の側壁には、その内部に外気を取り込むための吸込口２ａが設けられている。脚部５は、例えば、室外機１を設置する床面に固定するための固定脚である。この脚部５には、フォークリフト爪（フォークリフトのフォーク爪）Ｆが挿入される運搬用の開口部５ａが複数形成されている。
【００１２】
室外機１は、送風機３及び圧縮機の駆動により室内機と協働して空調動作を行う。圧縮機が駆動され、圧縮機からの吐出冷媒あるいは圧縮機に戻る冷媒は熱交換器４によって熱交換される。このとき、送風機３も駆動され、外気が筐体２内に吸い込まれ、その外気が熱交換器４を流通して熱交換し、送風機３を介して外部に排気される。
【００１３】
このような室外機１の脚部５の各開口部５ａには、図２に示すような保護部材６がそれぞれ取り付けられる。保護部材６は、開口部５ａに着脱可能に形成されており、開口部５ａに取り付けられた状態で開口部５ａ、すなわち開口部５ａの端面及び周辺をフォークリフト爪Ｆから保護する部材である。
【００１４】
この保護部材６は、ダンボール材により組立可能に形成されており、さらに、組立完了状態でフォークリフト爪Ｆが挿入可能に脚部５の開口部５ａを覆ってその開口部５ａに固定される組立構造に構成されている。
【００１５】
詳述すると、保護部材６は、図２に示すように、フォークリフト爪Ｆが挿入される挿入口６ａと、その挿入口６ａから四方に拡がるように形成されて挿入口６ａにフォークリフト爪Ｆを案内する案内片６ｂとを有している。この案内片６ｂは、挿入口６ａに向かって上片６ｂ１、下片６ｂ２、左片６ｂ３及び右片６ｂ４により構成されている。これらの上片６ｂ１、下片６ｂ２、左片６ｂ３及び右片６ｂ４が互いに支え合うことにより案内片６ｂが組み上げられている。
【００１６】
この保護部材６の組立工程においては、まず、図３に示すように、上片６ｂ１及び下片６ｂ２と、それらの上片６ｂ１及び下片６ｂ２の間に存在する挿入口６ａと、その挿入口６ａ内に存在する左片６ｂ３及び右片６ｂ４とを有する基体６ｃが用意される。この基体６ｃの上片６ｂ１の両端の各下部及び下片６ｂ２の両端の各上部には、それぞれ切り込み部Ｋ１が設けられている。また、左片６ｂ３及び右片６ｂ４には、それぞれ二つの切り欠き部Ｋ２が対向するように設けられている。
【００１７】
次に、図４に示すように、上片６ｂ１の両端と下片６ｂ２の両端が図４中の手前側に切り込み部Ｋ１の分の長さだけ４５°程度折り曲げられる。次いで、図５に示すように、上片６ｂ１及び下片６ｂ２が図５中の奥側に２０°程度折り曲げられる。その後、図６に示すように、図５中の各折込線Ｌの位置から図６中の手前側に１１０°程度折り曲げられる。
【００１８】
最後に、図７に示すように、左片６ｂ３及び右片６ｂ４が図７中の手前側に４５°程度折り曲げられ、上片６ｂ１の両端及び下片６ｂ２の両端が左片６ｂ３及び右片６ｂ４の各切り欠き部Ｋ２に嵌められる。これにより、左片６ｂ３及び右片６ｂ４が上片６ｂ１の両端及び下片６ｂ２の両端と組み合わされ、図２に示すような案内片６ｂが組み上げられ、保護部材６がダンボール材の基体６ｃにより組み立てられる。
【００１９】
このような保護部材６が、図８及び図９に示すように、室外機１の脚部５の各開口部５ａにそれぞれ取り付けられる。この取付では、脚部５の開口部５ａの裏側（装置内部側）から、図６に示す状態で上片６ｂ１及び下片６ｂ２が開口部５ａに挿入され、その後、左片６ｂ３及び右片６ｂ４が図７に示すように左右に拡がるように折り曲げられて上片６ｂ１の両端及び下片６ｂ２の両端に組み合わされる。これにより、保護部材６は図８及び図９に示すように組み上げられ（図２参照）、同時に、開口部５ａに固定される。
【００２０】
前述の室外機１がフォークリフトにより運搬される際には、室外機１の脚部５の各開口部５ａにフォークリフト爪Ｆが挿入される（図９参照）。このとき、各開口部５ａには、それぞれ保護部材６が取り付けられているので、各開口部５ａは保護部材６によりフォークリフト爪Ｆから保護されおり、フォークリフト爪Ｆは保護部材６の挿入口６ａに挿入される。なお、この際、フォークリフト爪Ｆが開口部５ａに対してずれた状態で挿入されても、保護部材６の案内片６ｂにより挿入口６ａに案内されるので、開口部５ａの端部の保護に加え、開口部５ａの周辺も保護されることになる。
【００２１】
また、保護部材６の案内片６ｂが挿入口６ａから四方に拡がって開口部５ａに固定されているので、保護カバーの固定爪などのように部分的に開口部５ａに引っかかるような構造よりも、荷扱いの衝撃に対して強い構造となっており、さらに、取り付けられた開口部５ａから外れ難い構造となっている。これにより、荷扱いの衝撃で破損及び外れが抑止されるので、開口部５ａを継続して確実に保護することが可能となる。
【００２２】
さらに、案内片６ｂは上片６ｂ１、下片６ｂ２、左片６ｂ３及び右片６ｂ４が互いに支え合うことによって組み上げられていることから、テープやステープラーなどを用いずに保護部材６を自立的に開口部５ａに固定することが可能になるので、テープやステープラーなどを用いた場合に比べ、コストを削減することができ、さらに、不必要なゴミの発生を防止することができる。
【００２３】
加えて、保護部材６がダンボール材により形成されているので、その処分が容易であり、またリサイクルも可能である。また、ダンボール材は安価であり、プラスチックや金属製の保護カバーを用いる場合に比べ、コストを削減することができる。
【００２４】
以上説明したように、本発明の実施の形態によれば、室外機１の脚部５に形成された運搬用の開口部５ａをフォークリフト爪Ｆから保護する保護部材６を、ダンボール材により組立可能に形成し、組立完了状態でフォークリフト爪Ｆが挿入可能に開口部５ａに固定される組立構造に構成することによって、ダンボール材が組み立てられて保護部材６が完成すると、同時に、その保護部材６は開口部５ａに固定されていることになる。このときの固定力は保護部材６の組立完了状態の構造維持力であり、保護カバーの固定爪などのように部分的に開口部５ａに引っかかるような構造よりも、荷扱いの衝撃に対して強く、さらに、取り付けられた開口部５ａから外れ難くなっている。これにより、荷扱いの衝撃で開口部５ａの破損や保護部材６の外れが抑止されるので、フォークリフト爪Ｆによる脚部５の損傷を確実に防止することができる。
【００２５】
また、保護部材６に挿入口６ａから四方に拡がってその挿入口６ａにフォークリフト爪Ｆを案内する案内片６ｂを形成することによって、フォークリフト爪Ｆが開口部５ａに対してずれた状態で挿入されても、その案内片６ｂにより挿入口６ａに案内されるので、開口部５ａの端部の保護に加え、開口部５ａの周辺を保護することができる。
【００２６】
さらに、案内片６ｂを挿入口６ａに向かって上片６ｂ１、下片６ｂ２、左片６ｂ３及び右片６ｂ４により構成し、上片６ｂ１、下片６ｂ２、左片６ｂ３及び右片６ｂ４を互いに支え合わせて組み立てることによって、テープやステープラー針などの固定用の部材を用いずに保護部材６を自立的に開口部５ａに固定することが可能になるので、固定用の部材を用いた場合に比べ、コストを削減することができ、さらに、不必要なゴミの発生を防止することができる。
【００２７】
なお、本発明は、前述の実施の形態に限るものではなく、その要旨を逸脱しない範囲において種々変更可能である。例えば、前述の実施の形態に示される全構成要素から幾つかの構成要素を削除してもよい。さらに、異なる実施の形態に亘る構成要素を適宜組み合わせてもよい。また、前述の実施の形態においては、各種の数値を挙げているが、それらの数値は例示であり、限定されるものではない。
【図面の簡単な説明】
【００２８】
【図１】本発明の実施の一形態に係る空気調和装置の室外機を概略的に示す外観斜視図である。
【図２】本発明の実施の一形態に係る保護部材を示す外観斜視図である。
【図３】図２に示す保護部材の組立工程を示す第１の工程斜視図である。
【図４】第２の工程斜視図である。
【図５】第３の工程斜視図である。
【図６】第４の工程斜視図である。
【図７】第５の工程斜視図である。
【図８】図１に示す空気調和装置であって図２に示す保護部材が取り付けられた空気調和装置を概略的に示す正面図である。
【図９】図８のＡ−Ａ線断面図である。
【符号の説明】
【００２９】
１…熱源機（室外機）、５…脚部、５ａ…開口部、６…保護部材、６ａ…挿入口、６ｂ…案内片、６ｂ１…上片、６ｂ２…下片、６ｂ３…左片、６ｂ４…右片、Ｆ…フォークリフト爪
【図１】
2010065979.tif 000003
【図２】
2010065979.tif 000004
【図３】
2010065979.tif 000005
【図４】
2010065979.tif 000006
【図５】
2010065979.tif 000007
【図６】
2010065979.tif 000008
【図７】
2010065979.tif 000009
【図８】
2010065979.tif 000010
【図９】
2010065979.tif 000011